【手続補正書】
【提出日】平成15年10月23日(2003.10.23)
【手続補正１】
【補正対象書類名】明細書
【補正対象項目名】発明の名称
【補正方法】変更
【補正の内容】
【発明の名称】吸収体の挿入方法、該方法によって構成される吸収体収納容器、および液体容器の製造装置
【手続補正２】
【補正対象書類名】明細書
【補正対象項目名】特許請求の範囲
【補正方法】変更
【補正の内容】
【特許請求の範囲】
【請求項１】
吸収体をその寸法よりも小さい容器に挿入する吸収体挿入方法において、前記吸収体を押圧部材で圧縮する工程と、前記吸収体と前記押圧部材とを同時に前記容器内に挿入する工程と、前記吸収体を前記容器内に保持した儘、前記押圧部材を前記容器から引き抜く工程とを有し、前記吸収体と接する前記押圧部材の電荷を除去することを特徴とする吸収体の挿入方法。
【請求項２】
前記吸収体はポリウレタン、ポリプロピレン、ポリエチレンもしくはこれらの組み合わせによって構成されるものであることを特徴とする請求項１に記載の吸収体の挿入方法。
【請求項３】
前記容器は、ポリプロピレン、ポリスチレン系樹脂、ポリエチレンテレフタレートのいずれかから選択されるものであることを特徴とする請求項１に記載の吸収体の挿入方法。
【請求項４】
前記押圧部材は、ポリテトラフルオロエチレン樹脂製であるか、フッ素樹脂コーティングがされているか、またはポリテトラフルオロエチレンシートもしくはポリエチレンフィルムが貼られていることを特徴とする請求項１に記載の吸収体の挿入方法。
【請求項５】
吸収体を互いに対向する一対の押圧部材で圧縮時に前記押圧部材から前記吸収体が片寄ってはみ出した状態で圧縮する第１の工程と、
前記第１の工程における前記吸収体の圧縮方向と交差する方向に、前記吸収体を互いに対向する一対の押圧部材で圧縮する第２の工程と、
前記吸収体の圧縮を保持したままの状態で、前記吸収体を前記押圧部材と共に容器内に収容する工程と、
前記押圧部材のみを前記容器から引き抜く工程とからなる吸収体の挿入方法。
【請求項６】
前記片寄ってはみ出した吸収体の前記押圧部材の端部からのはみ出し量を、前記吸収体の前記押圧部材からはみ出す方向に関する長さに対して、０．０１〜０．５倍とする請求項５に記載の吸収体の挿入方法。
【請求項７】
前記吸収体の前記押圧部材の端部から片寄ってはみ出している部分は、前記第２の工程において前記押圧部材によって押し縮められる請求項５に記載の吸収体の挿入方法。
【請求項８】
前記容器には液体供給口が設けられ、該液体供給口は前記容器内に収容された前記吸収体の前記押圧部材の端部から片寄ってはみ出した部分の近傍に配置されている請求項５に記載の吸収体の挿入方法。
【請求項９】
吸収体を互いに対向する一対の除電機構を備えた押圧部材で圧縮時に前記押圧部材から前記吸収体が片寄ってはみ出した状態で圧縮する第１の工程と、
前記第１の工程における前記吸収体の圧縮方向と交差する方向に、前記吸収体を互いに対向する一対の除電機構を備えた押圧部材で圧縮する第２の工程と、
前記吸収体の圧縮を保持したままの状態で、前記吸収体を前記押圧部材と共に容器内に収容する工程と、
前記押圧部材のみを前記容器から引き抜く工程とからなる吸収体の挿入方法。
【請求項１０】
吸収体を互いに対向する一対の押圧部材で圧縮時に前記押圧部材から前記吸収体が片寄ってはみ出した状態で圧縮する第１の工程と、
前記第１の工程における前記吸収体の圧縮方向と交差する方向に、前記吸収体を互いに対向する一対の押圧部材で圧縮する第２の工程と、
前記吸収体の圧縮を保持したままの状態で、前記吸収体を前記押圧部材と共に容器内に収容する工程と、
前記押圧部材のみを前記容器から引き抜く工程とによって構成される吸収体収納容器。
【請求項１１】
前記片寄ってはみ出した吸収体の前記押圧部材の端部からのはみ出し量が、前記吸収体の前記押圧部材からはみだす方向に関する長さに対して、０．０１〜０．５倍である請求項１０に記載の吸収体収納容器。
【請求項１２】
前記吸収体の前記押圧部材の端部から片寄ってはみ出している部分は、前記第２の工程において前記押圧部材によって押し縮められる請求項１０に記載の吸収体収納容器。
【請求項１３】
前記容器には液体供給口が設けられ、該液体供給口は前記容器内に収容された前記吸収体の前記押圧部材の端部から片寄ってはみ出した部分の近傍に配置されている請求項１０に記載の吸収体収納容器。
【請求項１４】
吸収体を互いに対向する一対の除電機構を備えた押圧部材で圧縮時に前記押圧部材から前記吸収体が片寄ってはみ出した状態で圧縮する第１の工程と、
前記第１の工程における前記吸収体の圧縮方向と交差する方向に、前記吸収体を互いに対向する一対の除電機構を備えた押圧部材で圧縮する第２の工程と、
前記吸収体の圧縮を保持したままの状態で、前記吸収体を前記押圧部材と共に容器内に収容する工程と、
前記押圧部材のみを前記容器から引き抜く工程とによって構成される吸収体収納容器。
【請求項１５】
大気連通口と供給口とを備え液体を貯留する容器本体と、該容器本体内に収納される吸収体と、を有する液体容器の製造装置であって、
前記吸収体を押圧する一対の第１の押圧部材と、
前記押圧部材による吸収体の圧縮方向と交差する方向に前記吸収体を押圧する一対の第２の押圧部材と、
を備え、前記第１および第２の押圧部材はそれぞれ接地されていることを特徴とする液体容器の製造装置。
【請求項１６】
前記第１および第２の押圧部材は、前記吸収体との接触面にポリテトラフルオロエチレン加工が施されていることを特徴とする請求項１５に記載の液体容器の製造装置。
【請求項１７】
前記ポリテトラフルオロエチレン加工は、前記押圧部材に対してポリテトラフルオロエチレンシートを貼り付けるか、あるいは前記押圧部材にポリテトラフルオロエチレンを直接コーティングすることによって施されていることを特徴とする請求項１６に記載の液体容器の製造装置。
【請求項１８】
前記押圧部材の前記ポリテトラフルオロエチレン加工が施された面に対して導電性部材が接続されていることを特徴とする請求項１６に記載の液体容器の製造装置。
【請求項１９】
前記導電性部材は接地されていることを特徴とする請求項１８に記載の液体容器の製造装置。
【請求項２０】
前記導電性部材は、前記ポリテトラフルオロエチレン加工が施された面上に設けられた導電性シート、または、前記ポリテトラフルオロエチレン加工が施された面を少なくとも貫通する導電性貫通部材であることを特徴とする請求項１８に記載の液体容器の製造装置。
【請求項２１】
前記ポリテトラフルオロエチレン加工が施された面の電荷を除去する除電ブロアを備えていることを特徴とする請求項１６に記載の液体容器の製造装置。
【手続補正３】
【補正対象書類名】明細書
【補正対象項目名】０００１
【補正方法】変更
【補正の内容】
【０００１】
【発明の属する技術分野】
本発明は、吸収体が収容される容器への吸収体の挿入方法、該方法によって構成される吸収体収納容器、および液体容器の製造装置に関する。さらに詳しくは、収納容器よりも大きな吸収体を収納容器に挿入する吸収体の挿入方法、該方法によって構成される吸収体収納容器、および液体容器の製造装置に関する。


【手続補正４】
【補正対象書類名】明細書
【補正対象項目名】００１１
【補正方法】変更
【補正の内容】
【００１１】
そこで本発明は、容器内に吸収体を挿入する前の段階で所望の粗密分布を構成し、その後容器内に挿入することができる、容器内への吸収体の挿入方法および該方法によって構成された吸収体収納容器等を提供することを目的とする。


【手続補正５】
【補正対象書類名】明細書
【補正対象項目名】００１２
【補正方法】変更
【補正の内容】
【００１２】
さらに、吸収体の粗密分布を容器内に挿入する前に構成した後、容器内に吸収体を挿入する方法をくり返し行なっても安定して所望の粗密分布を構成可能とした吸収体の挿入方法および該方法によって構成される吸収体収納容器等を提供することを目的とする。


【手続補正６】
【補正対象書類名】明細書
【補正対象項目名】００１４
【補正方法】変更
【補正の内容】
【００１４】
上記本発明の吸収体の挿入方法によれば、押圧部材の電荷を除去されることにより、電荷に伴う摩擦係数の変化を低減することが可能となり、吸収体の挿入状態が安定化され、更に押圧部材表面に吸い寄せられるゴミの量が低減され、吸収体挿入工程においてタンク内にゴミが混入する機会を減らすことが可能になる。さらに、前記吸収体はポリウレタン、ポリプロピレン、ポリエチレンもしくはこれらの組み合わせによって構成されるものであってもよい。


【手続補正７】
【補正対象書類名】明細書
【補正対象項目名】００１５
【補正方法】変更
【補正の内容】
【００１５】
また、前記容器はポリプロピレン、ポリスチレン系樹脂、ポリエチレンテレフタレートのいずれかから選択されるものであってもよい。


【手続補正８】
【補正対象書類名】明細書
【補正対象項目名】００１６
【補正方法】変更
【補正の内容】
【００１６】
また、前記押圧部材は、ポリテトラフルオロエチレン樹脂製であるか、フッ素樹脂コーティングがされているか、またはポリテトラフルオロエチレンシートもしくはポリエチレンフィルムが貼られている構成であってもよい。


【手続補正９】
【補正対象書類名】明細書
【補正対象項目名】００２３
【補正方法】削除
【補正の内容】
【手続補正１０】
【補正対象書類名】明細書
【補正対象項目名】００２９
【補正方法】変更
【補正の内容】
【００２９】
また、本発明の吸収体収納容器は、吸収体を互いに対向する一対の除電機構を備えた押圧部材で圧縮時に前記押圧部材から前記吸収体が片寄ってはみ出した状態で圧縮する第１の工程と、前記第１の工程における前記吸収体の圧縮方向と交差する方向に、前記吸収体を互いに対向する一対の除電機構を備えた押圧部材で圧縮する第２の工程と、前記吸収体の圧縮を保持したままの状態で、前記吸収体を前記押圧部材と共に容器内に収容する工程と、前記押圧部材のみを前記容器から引き抜く工程とによって構成される。
また、本発明の液体容器の製造装置は、大気連通口と供給口とを備え液体を貯留する容器本体と、該容器本体内に収納される吸収体と、を有する液体容器の製造装置であって、前記吸収体を押圧する一対の第１の押圧部材と、前記押圧部材による吸収体の圧縮方向と交差する方向に前記吸収体を押圧する一対の第２の押圧部材と、を備え、前記第１および第２の押圧部材はそれぞれ接地されていることを特徴とする。
さらに、前記第１および第２の押圧部材は、前記吸収体との接触面にポリテトラフルオロエチレン加工が施されていてもよい。
前記ポリテトラフルオロエチレン加工は、前記各押圧部材に対してポリテトラフルオロエチレンシートを貼り付けるか、あるいは前記各押圧部材にポリテトラフルオロエチレンを直接コーティングすることによって施されていてもよい。
また、前記ポリテトラフルオロエチレン加工が施された面に対して導電性部材が接続されていてもよい。
前記導電性部材は接地されていてもよい。
さらに、前記導電性部材は、前記ポリテトラフルオロエチレン加工が施された面上に設けられた導電性シート、または、前記ポリテトラフルオロエチレン加工が施された面を少なくとも貫通する導電性貫通部材である構成としてもよい。
また、前記ポリテトラフルオロエチレン加工が施された面の電荷を除去する除電ブロアを備えている構成としてもよい。
【手続補正１１】
【補正対象書類名】明細書
【補正対象項目名】００４４
【補正方法】変更
【補正の内容】
【００４４】
なお、他の符号について、符号８は押圧部材７とテフロンシート９との間の粘着層を示し、符号１４は除電ブロア１５から発生される空気イオンを示す。ここで、「テフロン」は登録商標であり、その正式な名称は「ポリテトラフルオロエチレン」であるが、以下の説明では便宜上「テフロン」、「テフロンシート」、「テフロン樹脂」と称することとする。